(57)【要約】【課題】シリンダブロックへ装着する際の作業性を向上させつつ、同シリンダブロックに装着した際にシリンダの冷却を好適に抑制することのできるウォータジャケット用スペーサ及び同スペーサのシリンダブロックの装着方法を提供する。【解決手段】ウォータジャケット１２内に配設されるスペーサ２０では、分割体２１，２２を互いに近接させて配置したときにこれら分割体２１，２２の内周によって形成される領域の寸法がシリンダ外周面１０ａの寸法よりも小さくなる。そして、このスペーサ２０では特に、離間部材３０によって、シリンダ外周面１０ａの形状に対応させて配置された分割体２１，２２の内周によって形成される領域の寸法がシリンダ外周面１０ａの寸法よりも大きくなるよう分割体２１，２２同士が離間させられるとともに、同離間部材３０がウォータジャケット１２内を流れる機関冷却水に溶解する。【選択図】図８
2008208743.tif 000002
【特許請求の範囲】
【請求項１】
内燃機関のシリンダブロックに形成されたウォータジャケット内に配設されるウォータジャケット用スペーサにおいて、
前記ウォータジャケットに面するシリンダの外周の形状に対応した内周の形状を有するとともに分割され、互いに近接させて配置したときに前記内周によって形成される領域の寸法が同シリンダの外周の寸法よりも小さくなる複数の分割体と、
前記シリンダの外周の形状に対応させて配置された前記複数の分割体同士を引き寄せる寄せ手段と、
前記シリンダの外周の形状に対応させて配置された前記複数の分割体の内周によって形成される領域の寸法が前記シリンダの外周の寸法よりも大きくなるように同分割体同士を離間させるとともに、前記機関の環境の変化にともなって溶解する離間部材とを備える
ことを特徴とする内燃機関のシリンダブロックのウォータジャケット用スペーサ。
【請求項２】
前記離間部材は、ウォータジャケット内を流れる冷媒に溶解可能な部材からなる
請求項１に記載の内燃機関のシリンダブロックのウォータジャケット用スペーサ。
【請求項３】
前記離間部材は、内燃機関に生じる熱によって溶解する部材からなる
請求項１に記載の内燃機関のシリンダブロックのウォータジャケット用スペーサ。
【請求項４】
前記複数の分割体の隣接部において、一方の分割体には凹部が形成されるとともに該凹部の内部に前記離間部材が設けられ、他方の分割体には前記凹部に嵌合する凸部が形成されてなる
請求項１〜３のいずれか一項に記載の内燃機関のシリンダブロックのウォータジャケット用スペーサ。
【請求項５】
当該スペーサが前記シリンダブロックに装着された際に前記凹部の内部から前記シリンダの径方向の外側に貫通する貫通孔が設けられてなる
請求項４に記載の内燃機関のシリンダブロックのウォータジャケット用スペーサ。
【請求項６】
内燃機関のシリンダブロックに形成されたウォータジャケット内に配設されるウォータジャケット用スペーサのシリンダブロックへの装着方法において、
前記ウォータジャケットに面するシリンダの外周の形状に対応した内周の形状を有するとともに分割され、互いに近接させて配置したときに前記内周によって形成される領域の寸法が同シリンダの外周の寸法よりも小さくなる複数の分割体を、前記シリンダの外周の形状に対応させて配置する工程と、
前記シリンダの外周の形状に対応させて配置された前記複数の分割体の内周によって形成される領域の寸法が前記シリンダの外周の寸法よりも大きくなるように同分割体同士を離間部材により離間させるとともに、前記複数の分割体同士を寄せ手段により引き寄せる工程と、
前記ウォータジャケット内に前記スペーサを配設した後に前記機関の環境を変化させて前記離間部材を溶解させる工程とを備える
ことを特徴とするウォータジャケット用スペーサのシリンダブロックへの装着方法。
【請求項７】
前記離間部材は、ウォータジャケット内を流れる冷媒に溶解可能な部材からなり、
ウォータジャケット内に前記スペーサを配設した後、ウォータジャケット内に前記冷媒を流すことで前記離間部材を溶解させて前記スペーサをシリンダブロックに装着する
請求項６に記載の内燃機関のウォータジャケット用スペーサのシリンダブロックへの装着方法。
【発明の詳細な説明】
【技術分野】
【０００１】
本発明は、内燃機関のシリンダブロックに形成されたウォータジャケット内に配設されるウォータジャケット用スペーサ、及び同スペーサのシリンダブロックへの装着方法に関する。
【背景技術】
【０００２】
周知のように、内燃機関のシリンダブロックには、シリンダの外周を囲むようにウォータジャケットが形成されており、このウォータジャケット内に冷却水を循環させることによって、それらシリンダの冷却を図るようにしている。また、シリンダブロックでは通常、シリンダの上部に位置する燃焼室近傍において高温となり、燃焼室から遠い下部において比較的低温となる温度勾配が生じる。そこで、従来から、上記ウォータジャケットの性状を適宜変更するなどにより、シリンダの各部位の温度勾配の是正を図ることが検討されている。例えば、ウォータジャケットの下部側に同ウォータジャケットの流路幅を狭くするためのスペーサを配設するようにしたシリンダブロックでは、同ウォータジャケットの下部側で冷却水の流量が制限されるようになる。すなわち、上記シリンダの上部と比較して低温となるシリンダの下部の冷却が抑制されるようになるため、シリンダ各部位の温度勾配についてもその是正が図られるようになる。
【０００３】
しかしながら、このようなスペーサが配設されたシリンダブロックでは、同スペーサとシリンダとの間に隙間が形成された場合に、同隙間に冷却水が流れ込み、ひいては上記スペーサによる冷却の抑制効果が低下するようになる。
【０００４】
そこで、特許文献１に記載のシリンダブロックのウォータジャケット用スペーサにあっては、シリンダ列の外周形状に対応した内周形状を有するとともに２分割された構造を採用している。そして、各分割体の両端部をばねによって連結するとともに、同ばねが収縮した際にそれら分割体の内周によって形成される領域の寸法がシリンダ列の外周の寸法よりも小さくなるような構造を採用している。スペーサとしてのこのような構造により、スペーサをその内周の寸法がシリンダ列の外周の寸法よりも大きくなるように一旦広げた後にシリンダブロックに装着すれば、上記ばねによりスペーサの分割体同士が引き寄せられた際に同スペーサの内周面と上記シリンダ列の外周面とが密着する。このため、上記隙間への冷却水の流れ込みが抑制されるため、上記シリンダ各部位の温度勾配についてもその是正が好適に図られるようになる。
【特許文献１】特開２００５−１２０９４９号公報
【発明の開示】
【発明が解決しようとする課題】
【０００５】
ところで、特許文献１に記載のシリンダブロックのウォータジャケット用スペーサによれば、確かにシリンダの冷却が抑制されるようになるものの、スペーサをその内周の寸法が上記シリンダ列の外周の寸法よりも大きくなるように広げつつ装着する必要がある。このようにスペーサを広げる手段としては、例えば装着治具を用いて広げる方法や手作業により広げる等々の手段があるが、いずれの場合にも装着時における作業性が悪化するという問題があった。
【０００６】
本発明はこうした実情に鑑みてなされたものであり、その目的は、シリンダブロックへ装着する際の作業性を向上させつつ、同シリンダブロックに装着した際にシリンダの冷却を好適に抑制することのできるウォータジャケット用スペーサ及び同スペーサのシリンダブロックの装着方法を提供することにある。
【課題を解決するための手段】
【０００７】
以下、上記課題を解決するための手段及びその作用効果について記載する。
請求項１に記載の発明は、内燃機関のシリンダブロックに形成されたウォータジャケット内に配設されるウォータジャケット用スペーサにおいて、前記ウォータジャケットに面するシリンダの外周の形状に対応した内周の形状を有するとともに分割され、互いに近接させて配置したときに前記内周によって形成される領域の寸法が同シリンダの外周の寸法よりも小さくなる複数の分割体と、前記シリンダの外周の形状に対応させて配置された前記複数の分割体同士を引き寄せる寄せ手段と、前記シリンダの外周の形状に対応させて配置された前記複数の分割体の内周によって形成される領域の寸法が前記シリンダの外周の寸法よりも大きくなるように同分割体同士を離間させるとともに、前記機関の環境の変化にともなって溶解する離間部材とを備えることを要旨としている。
【０００８】
同構成によれば、離間部材により、シリンダの外周の形状に対応させて配置された複数の分割体の内周によって形成される領域の寸法がシリンダの外周の寸法よりも大きくなるように同分割体同士が離間させられるため、スペーサをウォータジャケット内に容易に配設することができるようになる。すなわち、スペーサをシリンダブロックへ装着する際の作業性が向上するようになる。また、スペーサをウォータジャケット内に配設した後、機関の環境が変化すれば、離間部材が溶解して、複数の分割体の内周の寸法がシリンダの外周の寸法よりも小さくなるように寄せ手段が引き寄せようとして同スペーサがシリンダに密着するため、シリンダブロックに装着した際にシリンダの冷却を好適に抑制することができるようになる。
【０００９】
請求項２に記載の発明は、請求項１に記載の内燃機関のシリンダブロックのウォータジャケット用スペーサにおいて、前記離間部材は、ウォータジャケット内を流れる冷媒に溶解可能な部材からなることを要旨としている。
【００１０】
内燃機関では通常、ウォータジャケット内を流れる冷媒によって同機関を冷却するようにしている。この点、同構成によれば、スペーサをウォータジャケット内に配設した後、同ウォータジャケット内に冷媒を流すだけで、上記離間部材が自然に溶解して同スペーサが上記シリンダブロックに装着されるため、更に作業性が向上するようになる。
【００１１】
請求項３に記載の発明は、請求項１に記載の内燃機関のシリンダブロックのウォータジャケット用スペーサにおいて、前記離間部材は、内燃機関に生じる熱によって溶解する部材からなることを要旨としている。
【００１２】
同構成によれば、スペーサをウォータジャケット内に配設した後、内燃機関に熱を生じさせるだけで、上記離間部材が自然に溶解して同スペーサが上記シリンダブロックに装着されるため、このような構成によっても、更に作業性が向上するようになる。
【００１３】
請求項４に記載の発明は、請求項１〜３のいずれか一項に記載の内燃機関のシリンダブロックのウォータジャケット用スペーサにおいて、前記複数の分割体の隣接部において、一方の分割体には凹部が形成されるとともに該凹部の内部に前記離間部材が設けられ、他方の分割体には前記凹部に嵌合する凸部が形成されてなることを要旨としている。
【００１４】
同構成によれば、スペーサが複数の分割体からなる構造であっても、分割体同士がこれらに設けられた凹部と凸部とが嵌合される態様にて連結されるため、同スペーサが十分な一体性を有するようになる。また、離間部材が上記凹部の内部に設けられているため、例えばスペーサをシリンダブロックに装着する際に、同離間部材が脱落する等の懸念を払拭することができるようになる。
【００１５】
請求項５に記載の発明は、請求項４に記載の内燃機関のシリンダブロックのウォータジャケット用スペーサにおいて、当該スペーサが前記シリンダブロックに装着された際に前記凹部の内部から前記シリンダの径方向の外側に貫通する貫通孔が設けられてなることを要旨としている。
【００１６】
同構成によれば、例えばウォータジャケット内を流れる冷媒に溶解可能な部材からなる離間部材を用いた場合には、貫通孔により、ウォータジャケット内の冷媒と、凹部の内部に設けられる離間部材とが接触するようになるため、同離間部材が溶解し易くなる。また、例えば内燃機関に生じる熱によって溶解する部材からなる離間部材を用いた場合には、溶解した離間部材を貫通孔から排出し易くなる。
【００１７】
請求項６に記載の発明は、内燃機関のシリンダブロックに形成されたウォータジャケット内に配設されるウォータジャケット用スペーサのシリンダブロックへの装着方法において、前記ウォータジャケットに面するシリンダの外周の形状に対応した内周の形状を有するとともに分割され、互いに近接させて配置したときに前記内周によって形成される領域の寸法が同シリンダの外周の寸法よりも小さくなる複数の分割体を、前記シリンダの外周の形状に対応させて配置する工程と、前記シリンダの外周の形状に対応させて配置された前記複数の分割体の内周によって形成される領域の寸法が前記シリンダの外周の寸法よりも大きくなるように同分割体同士を離間部材により離間させるとともに、前記複数の分割体同士を寄せ手段により引き寄せる工程と、前記ウォータジャケット内に前記スペーサを配設した後に前記機関の環境を変化させて前記離間部材を溶解させる工程とを備えることを要旨としている。
【００１８】
同スペーサのシリンダブロックへの装着方法によれば、シリンダの外周の形状に対応させて配置された複数の分割体の内周によって形成される領域の寸法がシリンダの外周の寸法よりも大きくなるように同分割体同士を離間部材により離間させることにより、同スペーサをウォータジャケット内に容易に配設することができるようになる。すなわち、スペーサをシリンダブロックへ装着する際の作業性が向上するようになる。また、同装着方法によれば、機関の環境を離間部材が溶解する環境に変化させることで、複数の分割体の内周の寸法がシリンダの外周の寸法よりも小さくなるように寄せ手段が引き寄せようとして同スペーサがシリンダに密着するようになる。
【００１９】
請求項７に記載の発明は、請求項６に記載の内燃機関のウォータジャケット用スペーサのシリンダブロックへの装着方法において、前記離間部材は、ウォータジャケット内を流れる冷媒に溶解可能な部材からなり、ウォータジャケット内に前記スペーサを配設した後、ウォータジャケット内に前記冷媒を流すことで前記離間部材を溶解させて前記スペーサをシリンダブロックに装着することを要旨としている。
【００２０】
同スペーサのシリンダブロックへの装着方法によれば、スペーサをウォータジャケット内に配設した後、同ウォータジャケット内に冷媒を流すことで、上記離間部材が自然に溶解して同スペーサが上記シリンダブロックに装着されるため、更に作業性が向上するようになる。
【発明を実施するための最良の形態】
【００２１】
以下、本発明にかかる内燃機関のシリンダブロックのウォータジャケット用スペーサ、及び同ウォータジャケット用スペーサのシリンダブロックへの装着方法をＶ型６気筒エンジンのシリンダブロックに具体化した一実施形態について図１〜図９を参照して説明する。なお本実施形態において、内燃機関のシリンダブロックとしては、３つのシリンダが２つのバンクに分割配置されるとともに、ウォータジャケットのアッパデッキ部側が開放されたＶ型６気筒エンジン用のオープンデッキ型シリンダブロックを想定している。
【００２２】
まず、図１（ａ），（ｂ）を参照して、本発明のウォータジャケット用スペーサが適用されるシリンダブロックの全体構造について説明する。
図１（ａ）に同シリンダブロックの片側のバンクの平面構造を、また図１（ｂ）に図１（ａ）のＡ−Ａ線に沿った部分断面構造を示すように、それぞれ隣り合うシリンダ１０はその一部が連結されており、各シリンダ１０の内部には耐摩耗性にすぐれたシリンダライナ１１が設けられている。また、このシリンダ１０の外側にはこれらを冷却するための冷媒、すなわち機関冷却水の水路となるウォータジャケット１２が形成されている。このウォータジャケット１２は、シリンダ１０の外周面、すなわちシリンダ外周面１０ａと、同シリンダ外周面１０ａと所定の間隔を有して対向する外壁１３と、シリンダ１０及び外壁１３を連結してウォータジャケット１２の底面を形成する底壁１４とにより囲まれる領域として形成されている。
【００２３】
また、このシリンダブロックにおいては、シリンダ１０の頂面と外壁１３の頂面とによりアッパデッキ部１０ｂが形成されている。そして、このシリンダブロックは前述のように、上記ウォータジャケット１２がそのアッパデッキ部１０ｂ側に開放されたオープンデッキ型となっている。
【００２４】
さらに、このシリンダブロックにおいて、上記ウォータジャケット１２の底部側には、上記シリンダ外周面１０ａの形状に対応した内周面の形状を有するとともに、同ウォータジャケット１２の流路幅を狭くするためのスペーサ２０が配設されている。このスペーサ２０の斜視構造を図２に示すように、スペーサ２０は、上記シリンダ１０の配列方向に沿って第１の分割体２１と第２の分割体２２とに２分割された構造を有している。そして、これら分割体２１，２２が隣接する隣接部２４において第１の分割体２１に形成された凹部２１ｂに第２の分割体２２に形成された凸部２２ｂが嵌合されるとともに、これら分割体２１，２２同士がクリップ形状の弾性部材２３によって引き寄せられる態様にて分割体２１，２２同士が連結されている。なお、この弾性部材２３が分割体２１，２２同士を引き寄せる寄せ手段となっている。このように、分割体２１，２２同士をこれらに設けられた凹部２１ｂと凸部２２ｂとが嵌合される態様にて連結することにより、同スペーサ２０が十分な一体性を有するようになる。また、スペーサ２０は、この弾性部材２３によって分割体２１，２２同士を互いに近接させたときにスペーサ２０の内周によって形成される領域の寸法が上記シリンダ外周面１０ａの寸法よりも小さくなる構造を有しており、これによりスペーサ２０がシリンダ外周面１０ａに密着するようになる。
【００２５】
ところで、このスペーサ２０は、ウォータジャケット１２内に配設される前後で、より詳細にはウォータジャケット１２内に機関冷却水が流される前後で、スペーサ２０の内周によって形成される領域の寸法が変化する。以下、図３〜図６を参照してこのスペーサ２０の分割体２１，２２の構造について説明した後、図７を参照し、同スペーサ２０の組み立て方法に併せて、ウォータジャケット１２内に配設される前のスペーサ２０の構造について説明する。
【００２６】
図３に第１の分割体２１の斜視構造を、図４（ａ），（ｂ）に同第１の分割体２１の端部の正面構造と側面構造とを示すように、第１の分割体２１においてシリンダ１０の配列方向の両端部には、外側に向けて突出する突出部２１ａがそれぞれ形成されるとともに、同突出部２１ａには、上記第２の分割体２２の凸部２２ｂが嵌合する凹部２１ｂが形成されている。この凹部２１ｂは、シリンダ１０の配列方向に略垂直な平面上に延設されており、その断面形状が矩形状に形成されている。また、図４（ａ）に示すように、突出部２１ａには、上端部から中間部にかけて傾斜する傾斜面２１ｃが形成されている。さらに、これら突出部２１ａには、スペーサ２０が図１に示す態様にてシリンダブロックに装着された際に、凹部２１ｂの内部からシリンダ１０の径方向の外側に貫通する貫通孔２１ｄがそれぞれ形成されている。
【００２７】
また、図５に第２の分割体２２の斜視構造を、図６（ａ），（ｂ）に同第２の分割体２２の端部の側面構造と正面構造とを示すように、第２の分割体２２においてシリンダ１０の配列方向の両端部には、外側に向けて突出する突出部２２ａがそれぞれ形成されるとともに、同突出部２２ａには、上記第１の分割体２１の凹部２１ｂに嵌合する凸部２２ｂが形成されている。この凸部２２ｂは、シリンダ１０の配列方向に垂直な平面上に延設されており、その断面形状が矩形状に形成されている。また、図６（ｂ）に示すように、突出部２２ａには、上端部から中間部にかけて傾斜する傾斜面２２ｃが形成されている。そして、これら第１の分割体２１と第２の分割体２２とから構成されるスペーサ２０が図７（ａ）〜（ｄ）に示される工程を経て組み立てられることとなる。
【００２８】
すなわち、図７（ａ）に示すようにまず、第１の分割体２１の両端の凹部２１ｂ内に、上記ウォータジャケット１２内を流れる機関冷却水に溶解する離間部材３０をそれぞれ配設する。ちなみに、この離間部材３０は、機関冷却水を構成する成分、例えば水、エチレングリコール、及び防錆剤等のいずれかの成分に対して溶解可能な物性を有している。このように、離間部材３０を凹部２１ｂの内部に設けることによって、例えばスペーサ２０をシリンダブロックに装着する際に、同離間部材３０が脱落する等の懸念を払拭することができるようになる。その後、図７（ｂ）に示すように、第１の分割体２１と第２の分割体２２とを、二点鎖線で図示した上記シリンダ外周面１０ａの形状に対応させて配置した後、第１の分割体２１の凹部２１ｂに第２の分割体２２の凸部２２ｂを嵌合することによって第１の分割体２１と第２の分割体２２とが連結される。このとき、凹部２１ｂ内には離間部材３０が配設されているため、凹部２１ｂに凸部２２ｂが完全に嵌合することはない。すなわち、分割体２１，２２同士が離間して組み立てられるようになるため、分割体２１，２２の内周により形成される領域の寸法が、二点鎖線で図示した上記シリンダ外周面１０ａの寸法よりも大きくなる。また、突出部２１ａ，２２ａには、上述したように、上端部から中間部にかけて傾斜面２１ｃ，２２ｃがそれぞれ形成されている。そして、図７（ｃ）に示すように、第１の分割体２１と第２の分割体２２との隣接部２４において、クリップ形状の弾性部材２３をこれら傾斜面２１ｃ，２２ｃに沿わせて装着することによって、第１の分割体２１と第２の分割体２２とが引き寄せられることとなる。これら工程を経て、図７（ｄ）に示すような構造を有するスペーサ２０が組み立てられることとなる。そしてその後、このようなスペーサ２０を、図８（ａ）〜（ｃ）に示す態様にてシリンダブロックに配設する。
【００２９】
すなわち、図８（ａ）にシリンダブロックの平面構造を、図８（ｂ）に図８（ａ）のＢ−Ｂ線に沿った断面構造を示すように、同スペーサ２０の内周により形成される領域の寸法がシリンダ外周面１０ａの寸法よりも大きい状態が維持されたままスペーサ２０をウォータジャケット１２内に配設する。ちなみに、このスペーサ２０では、図８（ａ）の隣接部２４の拡大構造を図８（ｃ）の平面図に示すように、分割体２１，２２同士が弾性部材２３によって引き寄せられているが、第１の分割体２１の凹部２１ｂの内部にいまだ離間部材３０が存在しているため、分割体２１，２２同士が離間した状態が維持されたままとなる。換言すれば、スペーサ２０の内周により形成される領域の寸法がシリンダ外周面１０ａの寸法よりも大きい状態が維持されたままとなる。このように、離間部材３０により、分割体２１，２２の内周によって形成される領域の寸法がシリンダ外周面１０ａの寸法よりも大きくなるように分割体２１，２２同士が離間させられるため、スペーサ２０をウォータジャケット１２内に容易に配設することができるようになる。なお、スペーサ２０は、Ｖ型に形成されたシリンダブロックの両バンクにそれぞれ配設される。そしてその後、ウォータジャケット１２内に機関冷却水が流されたときに、スペーサ２０が、図９（ａ）〜（ｃ）に示される態様にてシリンダブロックに装着される。
【００３０】
すなわち、図９（ａ）にシリンダブロックの平面構造を、図９（ｂ）に図９（ａ）のＣ−Ｃ線に沿った断面構造を示すように、スペーサ２０をウォータジャケット１２の底部側に配置した状態で、同ジャケット１２に機関冷却水を流入させる。そうすると、図９（ａ）の隣接部２４の拡大構造を図９（ｃ）の平面図に示すように、第１の分割体２１の突出部２１ａに形成された貫通孔２１ｄを介して凹部２１ｂの内部に機関冷却水が流入するようになる。このため、この凹部２１ｂの内部に配設された上記離間部材３０にも機関冷却水が接触するようになり、離間部材３０が機関冷却水に溶解する。このとき、第１の分割体２１と第２の分割体２２とは上記弾性部材２３によって寄せられているため、このような離間部材３０の溶解にともなって分割体２１，２２同士がしだいに近づくようになる。そして、離間部材３０が機関冷却水に完全に溶解すると、同凹部２１ｂに第２の分割体２２の凸部２２ｂが完全に嵌合し、分割体２１，２２同士が互いに近接する。すなわち、スペーサ２０の内周によって形成される領域の寸法がシリンダ外周面１０ａの寸法よりも小さくなろうとするため、スペーサ２０がシリンダに密着し、ひいてはシリンダブロックに装着した際にシリンダ１０の冷却を好適に抑制することができるようになる。
【００３１】
以上説明したように、本実施形態かかるＶ型６気筒エンジンのシリンダブロックのウォータジャケット用スペーサ、及び同ウォータジャケット用スペーサのシリンダブロックへの装着方法によれば、以下のような効果が得られるようになる。
【００３２】
（１）離間部材３０により、シリンダ外周面１０ａの形状に対応させて配置された分割体２１，２２の内周によって形成される領域の寸法がシリンダ１０の外周の寸法よりも大きくなるように分割体２１，２２同士を離間させるようにした。これにより、スペーサ２０をウォータジャケット１２内に容易に配設することができるようになり、ひいてはスペーサ２０をシリンダブロックに装着する際の作業性が向上するようになる。また、スペーサ２０をウォータジャケット１２内に配設した後、ウォータジャケット１２内に機関冷却水を流すことによって上記離間部材３０が溶解し、分割体２１，２２の内周の寸法がシリンダ外周面１０ａの寸法よりも小さくなるように弾性部材２３が引き寄せようとしてスペーサ２０がシリンダ１０に密着するようにした。これにより、スペーサ２０をシリンダブロックに装着した際にシリンダ１０の冷却を好適に抑制することができるようになる。
【００３３】
（２）スペーサ２０をウォータジャケット１２内に配設した後、ウォータジャケット１２内に機関冷却水を流すだけで、離間部材３０が自然に溶解してスペーサ２０がシリンダブロックに装着されるようにした。これにより、スペーサ２０をシリンダブロックに装着する上での作業性が向上するようになる。
【００３４】
（３）スペーサ２０が２つの分割体２１，２２からなる構造であっても、分割体２１，２２同士がこれらに設けられた凹部２１ｂと凸部２２ｂとが嵌合される態様にて連結されるようにした。これにより、同スペーサ２０が十分な一体性を有するようになる。また、離間部材３０を凹部２１ｂの内部に設けるようにした。このため、スペーサ２０をシリンダブロックに装着する際に、同離間部材３０が脱落する等の懸念を払拭することができるようになる。
【００３５】
（４）スペーサ２０に、同スペーサ２０がシリンダブロックに装着された状態で凹部２１ｂの内部からシリンダ１０の径方向の外側に貫通する貫通孔２１ｄを設けるようにした。このため、ウォータジャケット１２内の機関冷却水と、凹部２１ｂの内部に設けられる離間部材３０とが接触するようになるため、同離間部材３０が溶解し易くなる。
【００３６】
（５）スペーサ２０のシリンダブロックへの装着方法として、シリンダ外周面１０ａの形状に対応させて配置された２つの分割体２１，２２の内周によって形成される領域の寸法がシリンダ１０の外周の寸法よりも大きくなるように分割体２１，２２同士を離間部材３０により離間させるようにした。これにより、スペーサ２０をウォータジャケット１２内に容易に配設することができるようになり、ひいてはスペーサ２０をシリンダブロックへ装着する際の作業性が向上するようになる。
【００３７】
（６）スペーサ２０のシリンダブロックへの装着方法として、スペーサ２０をウォータジャケット１２内に配設した後、同ウォータジャケット１２内に機関冷却水を流すことで、離間部材３０が自然に溶解してスペーサ２０がシリンダブロックに装着されるようにした。これにより、スペーサ２０をシリンダブロックに装着する上での作業性が向上するようになる。
【００３８】
なお、上記実施形態は、これを適宜変更した以下の形態にて実施することができる。
・上記実施形態では、離間部材３０を、機関冷却水に溶解可能な部材で構成したが、その他、例えばエンジンを駆動したときに生じる熱によって溶解する部材で構成してもよい。離間部材３０としてこのような構成を採用すれば、スペーサ２０をウォータジャケット１２内に配設した後、例えばエンジンを駆動させることによって同エンジンに熱を生じさせるだけで離間部材３０が自然に溶解して同スペーサ２０がシリンダブロックに装着されるようになる。すなわち、スペーサ２０をシリンダブロックに装着する上での作業性が更に向上するようになる。なお、その場合に上記貫通孔２１ｄを形成すると、溶解した離間部材３０を貫通孔２１ｄから排出し易くなる。要は、離間部材３０が、エンジンの環境の変化にともなって溶解するような部材で構成されていればよい。
【００３９】
・上記実施形態では、スペーサ２０に、凹部２１ｂの内部から上記シリンダ１０の径方向の外側に貫通する貫通孔２１ｄが設けたが、例えば上記凹部２１ｂの大きさを凸部２２ｂの大きさよりも大きくするなどして、これらの間に形成される隙間から上記凹部２１ｂの内部に機関冷却水が流入されるような構成を採用すれば、貫通孔２１ｄを省略してもよい。
【００４０】
・上記実施形態では、凹部２１ｂの内部に離間部材３０を設けたが、例えば第１の分割体２１の端面と第２の分割体２２の端面とにより離間部材を狭持するようにしてもよい。ただしこの場合、スペーサをシリンダブロックに装着する際に離間部材が脱落する等のおそれがあるため、望ましくは凹部２１ｂの内部に離間部材を設けたほうがよい。
【００４１】
・上記実施形態では、第１の分割体２１と第２の分割体２２とを連結する構造として、第１の分割体２１の凹部２１ｂに第２の分割体２２の凸部２２ｂを嵌合する構造を採用したが、例えばこれら分割体２１，２２同士を弾性部材２３のみによって連結可能であれば、これら凹部２１ｂ及び凸部２２ｂを省略してもよい。なおこの場合、離間部材をスペーサに配設するための構造として、例えば上述のように、第１の分割体２１の端面と第２の分割体２２の端面とにより離間部材を狭持するような構造を採用する必要がある。
【００４２】
・上記実施形態では、分割体２１，２２同士を引き寄せる寄せ手段として、クリップ形状の弾性部材２３を用いたが、コイル形状の弾性部材等を用いてもよい。
・上記実施形態では、スペーサ２０を２つの分割体２１，２２に分割したが、スペーサを３つ以上の分割体に分割してもよい。その場合、複数の分割体の隣接部に互いに嵌合する凸部と凹部とを設けるとともに、凹部の内部にそれぞれ離間部材を設けてもよい。
【００４３】
・上記実施形態では、本発明にかかる内燃機関のシリンダブロックのウォータジャケット用スペーサ、及び同ウォータジャケット用スペーサのシリンダブロックへの装着方法を、Ｖ型６気筒エンジンのシリンダブロックに適用したが、その他、例えばＶ型８気筒エンジンや直列４気筒エンジン等についても本発明は同様に適用することができる。
【図面の簡単な説明】
【００４４】
【図１】（ａ）本実施形態にかかるウォータジャケット用スペーサが適用されるシリンダブロックについてその片側のバンクの平面構造を示す平面図。（ｂ）同平面図のＡ−Ａ線に沿った部分断面図。
【図２】同実施形態のウォータジャケット用スペーサの斜視構造を示す斜視図。
【図３】同実施形態のウォータジャケット用スペーサについてその第１の分割体の斜視構造を示す斜視図。
【図４】（ａ）同実施形態のウォータジャケット用スペーサについてその第１の分割体の端部付近の部分拡大正面構造を示す正面図。（ｂ）同実施形態のウォータジャケット用スペーサについてその第１の分割体の端部付近の部分拡大側面構造を示す側面図。
【図５】同実施形態のウォータジャケット用スペーサについてその第２の分割体の斜視構造を示す斜視図。
【図６】（ａ）同実施形態のウォータジャケット用スペーサについてその第２の分割体の端部付近の部分拡大側面構造を示す側面図。（ｂ）同実施形態のウォータジャケット用スペーサについてその第２の分割体の端部付近の部分拡大正面構造を示す正面図。
【図７】（ａ）〜（ｄ）は、同実施形態のウォータジャケット用スペーサの組み立て方法についてその手順を示す斜視図。
【図８】（ａ）同実施形態のウォータジャケット用スペーサが適用されるシリンダブロックについてその片側のバンクの部分平面構造を示す平面図。（ｂ）同平面図のＢ−Ｂ線に沿った部分断面図。（ｃ）同平面図の第１の分割体と第２の分割体との隣接部付近の部分拡大平面構造を示す平面図。
【図９】（ａ）同実施形態のウォータジャケット用スペーサが適用されるシリンダブロックについてその片側のバンクの平面構造を示す平面図。（ｂ）同平面図のＣ−Ｃ線に沿った部分断面図。（ｃ）同平面図の第１の分割体と第２の分割体との隣接部付近の部分拡大平面構造を示す平面図。
【符号の説明】
【００４５】
１０…シリンダ、１０ａ…シリンダ外周面、１０ｂ…アッパデッキ部、１１…シリンダライナ、１２…ウォータジャケット、１３…外壁、１４…底壁、２０…スペーサ、２１…第１の分割体、２１ａ，２２ａ…突出部、２１ｂ…凹部、２１ｃ，２２ｃ…傾斜面、２１ｄ…貫通孔、２２…第２の分割体、２２ｂ…凸部、２３…弾性部材、２４…隣接部、３０…離間部材。
【図１】
2008208743.tif 000003
【図２】
2008208743.tif 000004
【図３】
2008208743.tif 000005
【図４】
2008208743.tif 000006
【図５】
2008208743.tif 000007
【図６】
2008208743.tif 000008
【図７】
2008208743.tif 000009
【図８】
2008208743.tif 000010
【図９】
2008208743.tif 000011